(57)【要約】【課題】リムーバブル記憶媒体がインターフェイスに挿し込まれたならば、デバイスの準備処理を開始する。【解決手段】画像処理装置１は、ＵＳＢメモリ３を接続可能なＵＳＢホストＩ／Ｆ１６と、画像の出力が可能な記録部１２と、画像の入力が可能な読取部１３とを備え、ＵＳＢホストＩ／Ｆ１６に接続されたＵＳＢメモリ３に読取部１３から入力された画像に基づく入力画像情報を記憶する機能と、ＵＳＢメモリ３に記憶された出力画像情報を読み出して記録部１２ヘ画像を出力する機能とのうちの少なくとも一つを有する。制御部１１は、ＵＳＢメモリ３のＵＳＢホストＩ／Ｆ１６ヘの接続及び非接続を検知すると、記録部１２または読取部１３あるいは両者を非待機状態から待機状態にする準備処理を実行する。【選択図】  図８
2007335988.tif 000002
【特許請求の範囲】
【請求項１】
リムーバブル記憶媒体を接続可能なインターフェイスと、
画像の入力又は出力が可能なデバイスと、
動作する準備が整っていない状態である非待機状態にあるデバイスを、動作する準備が整った状態である待機状態にする準備手段と、
前記インターフェイスに接続された前記リムーバブル記憶媒体に前記デバイスから入力された画像に基づく入力画像情報を記憶する機能と、前記リムーバブル記憶媒体に記憶された出力画像情報を読み出して前記デバイスヘ画像を出力する機能とのうちの少なくとも一つを有する画像処理手段と、
前記リムーバブル記憶媒体の前記インターフェイスヘの接続及び非接続を検知する検知手段と、
前記検知手段により前記リムーバブル記憶媒体の接続が検知されたときに、前記デバイスを前記準備手段にて前記待機状態にさせる制御手段と、
を備えることを特徴とする画像処理装置。
【請求項２】
複数の前記デバイスと、待機状態にすべき一または複数の前記デバイスを選択する選択手段とを備え、
前記制御手段が、前記検知手段により前記リムーバブル記憶媒体の接続が検知されたことを条件として、前記選択手段により選択された前記一または複数のデバイスを、前記準備手段にて前記待機状態にさせることを特徴とする請求項１に記載の画像処理装置。
【請求項３】
前記選択手段が、前記インターフェイスに接続されている前記リムーバブル記憶媒体に所定の情報が含まれる場合に、前記記録デバイスを選択することを特徴とする請求項２に記載の画像処理装置。
【請求項４】
前記リムーバブル記憶媒体にはディレクトリの概念を持つファイルシステムを介してファイルの読み書きが可能なものであり、
前記ディレクトリを指定するディレクトリ選択手段を備え、
前記選択手段が、前記ディレクトリ選択手段で選択したディレクトリに所定のファイルが含まれる場合に、前記記録デバイスを選択することを特徴とする請求項２に記載の画像処理装置。
【請求項５】
複数の前記デバイスのうちの少なくとも一つが記録媒体に画像を記録する記録デバイスであり、
前記選択手段が、前記待機状態にするデバイスとして前記記録デバイスを選択する
ことを特徴とする請求項２ないし４のいずれか１項に記載の画像処理装置。
【請求項６】
複数の前記デバイスのうちの少なくとも一つは、記録媒体にトナー像を形成し、そのトナー像を定着器にて前記記録媒体に熱定着させる電子写真記録デバイスであり、
前記準備手段は、前記定着器が所定温度にないことによって前記電子写真記録デバイスが非待機状態にある場合、前記定着器を所定温度になるように制御して前記電子写真記録デバイスを前記待機状態にすることを特徴とする請求項２ないし５のいずれか１項に記載の画像処理装置。
【請求項７】
複数の前記デバイスのうちの少なくとも一つは、噴射口からインクを噴射して記録媒体に画像を形成するインクジェット記録デバイスであり、
前記準備手段は、前記噴射口のクリーニングがなされていないことによって前記インクジェット記録デバイスが非待機状態にある場合、前記噴射口をクリーニングして前記インクジェット記録デバイスを前記待機状態にすることを特徴とする請求項２ないし５のいずれか１項に記載の画像処理装置。
【請求項８】
読み取る画像を記録した読取対象の有無を検知する原稿検知手段を備え、
複数の前記デバイスのうちの少なくとも一つが前記原稿を読み取る読取デバイスであり、
前記選択手段が、前記原稿検知手段に原稿が有ると判断したときに、前記読取デバイスを前記待機状態にすベきであると選択することを特徴とする請求項２ないし４のいずれか１項に記載の画像処理装置。
【請求項９】
複数の前記デバイスのうちの少なくとも一つは、ランプから光を発して、これを読取対象に照射し、その反射光に基づいて前記読取対象が有する情報を読み取る読取デバイスであり、
前記準備手段は、前記ランプが消灯または光量が安定していないことによって前記読取デバイスが非待機状態にある場合、前記ランプを点灯して光量が安定するように制御して前記読取デバイスを前記待機状態にすることを特徴とする請求項２ないし４のいずれか１項、または請求項８に記載の画像処理装置。
【請求項１０】
リムーバブル記憶媒体を接続可能なインターフェイスと、画像の入力又は出力が可能なデバイスと、前記インターフェイスに接続された前記リムーバブル記憶媒体に前記デバイスから入力された画像に基づく入力画像情報を記憶する機能と、前記リムーバブル記憶媒体に記憶された出力画像情報を読み出して前記デバイスヘ画像を出力する機能とのうちの少なくとも一つを有する画像処理装置において、
前記リムーバブル記憶媒体の前記インターフェイスヘの接続及び非接続を検知する工程と、
前記リムーバブル記憶媒体の接続が検知されたときに、動作する準備が整っていない状態である非待機状態にあるデバイスを、動作する準備が整った状態である待機状態にする工程と、
を含むことを特徴とするデバイス準備処理方法。
【請求項１１】
複数の前記デバイスと、待機状態にすべき一または複数の前記デバイスを選択する工程と、
前記リムーバブル記憶媒体の接続が検知されたことを条件として、選択された前記一または複数のデバイスを前記待機状態にさせる工程と、
を含むことを特徴とする請求項１０に記載のデバイス準備処理方法。
【請求項１２】
前記インターフェイスに接続されている前記リムーバブル記憶媒体に所定の情報が含まれる場合に、前記記録デバイスを選択する工程を含むことを特徴とする請求項１１に記載のデバイス準備処理方法。
【請求項１３】
前記リムーバブル記憶媒体にはディレクトリの概念を持つファイルシステムを介してファイルの読み書きが可能なものであり、
前記ディレクトリを指定する工程と、
指定されたディレクトリに所定のファイルが含まれる場合に、前記記録デバイスを選択する工程と、
を含むことを特徴とする請求項１１に記載のデバイス準備処理方法。
【請求項１４】
複数の前記デバイスのうちの少なくとも一つが記録媒体に画像を記録する記録デバイスであり、
前記待機状態にするデバイスとして前記記録デバイスを選択する工程を含むことを特徴とする請求項１１ないし１３のいずれか１項に記載のデバイス準備処理方法。
【請求項１５】
複数の前記デバイスのうちの少なくとも一つは、記録媒体にトナー像を形成し、そのトナー像を定着器にて前記記録媒体に熱定着させる電子写真記録デバイスであり、
前記定着器がオフであることによって前記電子写真記録デバイスが非待機状態にある場合、前記定着器をオンにして前記電子写真記録デバイスを前記待機状態にする工程を含むことを特徴とする請求項１１ないし１４のいずれか１項に記載のデバイス準備処理方法。
【請求項１６】
複数の前記デバイスのうちの少なくとも一つは、噴射口からインクを噴射して記録媒体に画像を形成するインクジェット記録デバイスであり、
前記噴射口のクリーニングがなされていないことによって前記インクジェット記録デバイスが非待機状態にある場合、前記噴射口をクリーニングして前記インクジェット記録デバイスを前記待機状態にする工程を含むことを特徴とする請求項１１ないし１４のいずれか１項に記載のデバイス準備処理方法。
【請求項１７】
複数の前記デバイスのうちの少なくとも一つが前記原稿を読み取る読取デバイスであり、
読み取る画像を記録した読取対象の有無を検知する工程と、
前記原稿が有ると判断したときに前記読取デバイスを前記待機状態にすベきであると選択する工程と、
を含むことを特徴とする請求項１１ないし１３のいずれか１項に記載のデバイス準備処理方法。
【請求項１８】
複数の前記デバイスのうちの少なくとも一つは、ランプから光を発して、これを読取対象に照射し、その反射光に基づいて前記読取対象が有する情報を読み取る読取デバイスであり、
前記ランプがオフであることによって前記読取デバイスが非待機状態にある場合、前記ランプをオンにして前記読取デバイスを前記待機状態にする工程を
含むことを特徴とする請求項１１ないし１３のいずれか１項、または請求項１７に記載のデバイス準備処理方法。
【発明の詳細な説明】
【技術分野】
【０００１】
本発明は画像処理装置，及びデバイス準備処理方法に関し、詳しくはリムーバブル記憶媒体のファイルを処理可能な画像処理装置，及びデバイス準備処理方法に関する。
【背景技術】
【０００２】
従来の印刷装置は、省電力化のために利用していないときは、デバイスへの電力供給を最小化し、必要時に電力供給を開始する。これにより、デバイスによっては電力供給から一定時間たたないとデバイスを利用する物理特性を得られる状態にならない場合がある。このため、準備処理という処理を実行する。また、インクジェットプリンタの場合、長時間利用されていない状態が続くと、ヘッドの表面が乾燥して目詰まりをおこすことがある。このため、上記目詰まりを解消するために、少量のインクを吸引して廃棄する（パージする）準備処理を実行する。これはデバイスを利用することが確定した時点で行われ、例えば、コピー機能の場合、原稿が原稿台に置かれ、スキャナが印刷データを受信すると、デバイスであるプリンタをウォーミングアップ（準備処理）する。すなわち、各デバイスが処理を行う情報が入力されたことを検知すると、準備処理が開始される。
【０００３】
ところで、ＵＳＢ（Universal Serial Bus）メモリなどのリムーバブル記憶媒体を印刷装置のインターフェイスに直接挿し込み、リムーバブル記憶媒体からユーザにより選択されたファイルを読み出して印刷する印刷装置が知られている（例えば、特許文献１参照）。
【特許文献１】特開平９−３００７９
【発明の開示】
【発明が解決しようとする課題】
【０００４】
上述した従来の印刷装置では、利用者がリムーバブル記憶媒体を印刷装置のインターフェイスに挿し込んで印刷装置を利用する場合、常時、印刷装置を動作する準備が整った状態である待機状態にしておくと省エネルギーという社会的な要請に反する一方、印刷するファイルが決定されてから印刷装置が準備処理を開始すると、動作する準備が整っていない状態である非待機状態にあるデバイスが、動作する準備が整った状態である待機状態になるまでの待ち時間がかかり、不便であるという問題点があった。詳しくは、印刷装置が、記録媒体にトナー像を形成し、そのトナー像を定着器にて記録媒体に熱定着させる電子写真記録デバイスであるときには、定着器がオフであることによって電子写真記録デバイスが非待機状態にある場合、定着器をオンにして電子写真記録デバイスを定着器が所定の温度になっている待機状態にするまでに待ち時間がかかっていた。また、印刷装置が、噴射口からインクを噴射して記録媒体に画像を形成するインクジェット記録デバイスであるときには、噴射口のクリーニングがなされていないことによってインクジェット記録デバイスが非待機状態にある場合、噴射口をクリーニングしてインクジェット記録デバイスを噴射口の目詰まりのない待機状態にするまでに待ち時間がかかっていた。
【０００５】
また、従来の印刷装置と同様の問題点が、従来のスキャナ装置にもあった。すなわち、スキャナ装置は、ランプから光を発して、これを読取対象に照射し、その反射光に基づいて読取対象が有する情報を読み取る読取デバイスであり、ランプがオフであることによって読取デバイスが非待機状態にある場合、ランプをオンにして読取デバイスをランプの光量が安定している待機状態にするまでに待ち時間がかかっていた。
【０００６】
本発明の目的は、リムーバブル記憶媒体がインターフェイスに挿し込まれたならば、デバイスの準備処理を開始する画像処理装置を提供することにある。
【０００７】
また、本発明の他の目的は、リムーバブル記憶媒体のインターフェイスへの挿入に連動して画像処理装置にデバイスの準備処理を開始させるデバイス準備処理方法を提供することにある。
【課題を解決するための手段および発明の効果】
【０００８】
請求項１に記載の画像処理装置は、リムーバブル記憶媒体を接続可能なインターフェイスと、画像の入力又は出力が可能なデバイスと、動作する準備が整っていない状態である非待機状態にあるデバイスを、動作する準備が整った状態である待機状態にする準備手段と、前記インターフェイスに接続された前記リムーバブル記憶媒体に前記デバイスから入力された画像に基づく入力画像情報を記憶する機能と、前記リムーバブル記憶媒体に記憶された出力画像情報を読み出して前記デバイスヘ画像を出力する機能とのうちの少なくとも一つを有する画像処理手段と、前記リムーバブル記憶媒体の前記インターフェイスヘの接続及び非接続を検知する検知手段と、前記検知手段により前記リムーバブル記憶媒体の接続が検知されたときに、前記デバイスを前記準備手段にて前記待機状態にさせる制御手段と、を備えることを特徴とする。請求項１記載の画像処理装置によれば、リムーバブル記憶媒体がインターフェイスに挿し込まれたことが検知されたならば、デバイスの準備処理を開始することにより、省エネルギーという社会的な要請に答えるとともに、利用者にとってデバイスが非待機状態から待機状態になるまでの待ち時間が大幅に短くなるという効果がある。
【０００９】
請求項２に記載の画像処理装置は、請求項１に記載の画像処理装置において、複数の前記デバイスと、待機状態にすべき一または複数の前記デバイスを選択する選択手段とを備え、前記制御手段が、前記検知手段により前記リムーバブル記憶媒体の接続が検知されたことを条件として、前記選択手段により選択された前記一または複数のデバイスを、前記準備手段にて前記待機状態にさせることを特徴とする。請求項２に記載の画像処理装置によれば、複数のデバイスを備える画像処理装置において、リムーバブル記憶媒体がインターフェイスに挿し込まれたことが検知されたならば、複数のデバイスのうちから選択されたデバイスの準備処理を開始することにより、利用者にとって選択されたデバイスが非待機状態から待機状態になるまでの待ち時間が大幅に短くなるという効果がある。また、選択されたデバイス以外のデバイスは、準備処理を行わないため、電力やインクなどの消費資源の使用を最小化できるので経済的である。
【００１０】
請求項３に記載の画像処理装置は、請求項２に記載の画像処理装置において、前記選択手段が、前記インターフェイスに接続されている前記リムーバブル記憶媒体に所定の情報が含まれる場合に、前記記録デバイスを選択することを特徴とする。請求項３に記載の画像処理装置によれば、インターフェイスに接続されているリムーバブル記憶媒体が記憶している情報に応じて利用されるデバイスを予測することができ、その予測に基づいて選択したデバイスを準備処理することができるため、消費資源の使用を最小化したまま、利用者にとってデバイスが非待機状態から待機状態になるまでの待ち時間が大幅に短くなるという効果がある。
【００１１】
請求項４に記載の画像処理装置は、請求項２に記載の画像処理装置において、前記リムーバブル記憶媒体にはディレクトリの概念を持つファイルシステムを介してファイルの読み書きが可能なものであり、前記ディレクトリを指定するディレクトリ選択手段を備え、前記選択手段が、前記ディレクトリ選択手段で選択したディレクトリに所定のファイルが含まれる場合に、前記記録デバイスを選択することを特徴とする。請求項４に記載の画像処理装置によれば、ディレクトリの概念を持つファイルシステムを利用して、インターフェイスに接続されているリムーバブル記憶媒体のディレクトリが記憶している情報に応じて利用されるデバイスを予測することができ、その予測に基づいて選択したデバイスを準備処理することができるため、消費資源の使用を最小化したまま、利用者にとってデバイスが非待機状態から待機状態になるまでの待ち時間が大幅に短くなるという効果がある。
【００１２】
請求項５に記載の画像処理装置は、請求項２ないし４のいずれか１項に記載の画像処理装置において、複数の前記デバイスのうちの少なくとも一つが記録媒体に画像を記録する記録デバイスであり、前記選択手段が、前記待機状態にするデバイスとして前記記録デバイスを選択することを特徴とする。請求項５に記載の画像処理装置によれば、記録デバイスが利用されると予測される場合、複数のデバイスのうちの記録デバイスに選択的に準備処理を行わせることができる。また、インターフェイスに接続されているリムーバブル記憶媒体、又はその中に設定されたディレクトリに印刷可能なファイルがあると、記録デバイスが利用されると予測して、記録デバイスを選択して準備処理を行わせることができる。
【００１３】
請求項６に記載の画像処理装置は、請求項２ないし５のいずれか１項に記載の画像処理装置において、複数の前記デバイスのうちの少なくとも一つは、記録媒体にトナー像を形成し、そのトナー像を定着器にて前記記録媒体に熱定着させる電子写真記録デバイスであり、前記準備手段は、前記定着器が所定温度にないことによって前記電子写真記録デバイスが非待機状態にある場合、前記定着器を所定温度になるように制御して前記電子写真記録デバイスを前記待機状態にすることを特徴とする。請求項６に記載の画像処理装置によれば、リムーバブル記憶媒体をインターフェイスに挿し込むことに関連して定着器を所定温度になるように制御することにより、複数のデバイスのうちの電子写真記録デバイスの準備処理を行わせることができる。
【００１４】
請求項７に記載の画像処理装置は、請求項２ないし５のいずれか１項に記載の画像処理装置において、複数の前記デバイスのうちの少なくとも一つは、噴射口からインクを噴射して記録媒体に画像を形成するインクジェット記録デバイスであり、前記準備手段は、前記噴射口のクリーニングがなされていないことによって前記インクジェット記録デバイスが非待機状態にある場合、前記噴射口をクリーニングして前記インクジェット記録デバイスを前記待機状態にすることを特徴とする。請求項７に記載の画像処理装置によれば、リムーバブル記憶媒体をインターフェイスに挿し込むことに関連して噴射口をクリーニングすることにより、複数のデバイスのうちのインクジェット記録デバイスの準備処理を行わせることができる。
【００１５】
請求項８に記載の画像処理装置は、請求項２ないし４のいずれか１項に記載の画像処理装置において、読み取る画像を記録した読取対象の有無を検知する原稿検知手段を備え、複数の前記デバイスのうちの少なくとも一つが前記原稿を読み取る読取デバイスであり、前記選択手段が、前記原稿検知手段に原稿が有ると判断したときに、前記読取デバイスを前記待機状態にすベきであると選択することを特徴とする。請求項８に記載の画像処理装置によれば、リムーバブル記憶媒体をインターフェイスに挿し込むことに関連して原稿を検知することにより、読取デバイスを選択して準備処理を行わせることができる。
【００１６】
請求項９に記載の画像処理装置は、請求項２ないし４のいずれか１項、または請求項８に記載の画像処理装置において、複数の前記デバイスのうちの少なくとも一つは、ランプから光を発して、これを読取対象に照射し、その反射光に基づいて前記読取対象が有する情報を読み取る読取デバイスであり、前記準備手段は、前記ランプが消灯または光量が安定していないことによって前記読取デバイスが非待機状態にある場合、前記ランプを点灯され光量が安定するように制御して前記読取デバイスを前記待機状態にすることを特徴とする。請求項９に記載の画像処理装置によれば、リムーバブル記憶媒体をインターフェイスに挿し込むことに関連してランプを点灯され光量が安定するように制御することにより、複数のデバイスのうちの読取デバイスを非待機状態から待機状態にすることができる。
【００１７】
請求項１０に記載のデバイス準備処理方法は、リムーバブル記憶媒体を接続可能なインターフェイスと、画像の入力又は出力が可能なデバイスと、前記インターフェイスに接続された前記リムーバブル記憶媒体に前記デバイスから入力された画像に基づく入力画像情報を記憶する機能と、前記リムーバブル記憶媒体に記憶された出力画像情報を読み出して前記デバイスヘ画像を出力する機能とのうちの少なくとも一つを有する画像処理装置において、前記リムーバブル記憶媒体の前記インターフェイスヘの接続及び非接続を検知する工程と、前記リムーバブル記憶媒体の接続が検知されたときに、動作する準備が整っていない状態である非待機状態にあるデバイスを、動作する準備が整った状態である待機状態にする工程と、を含むことを特徴とする。請求項１０に記載のデバイス準備処理方法によれば、リムーバブル記憶媒体がインターフェイスに挿し込まれたことが検知されたならば、デバイスの準備処理を開始することにより、省エネルギーという社会的な要請に答えるとともに、利用者にとってデバイスが非待機状態から待機状態になるまでの待ち時間が大幅に短くなるという効果がある。
【００１８】
請求項１１に記載のデバイス準備処理方法は、請求項１０に記載のデバイス準備処理方法において、複数の前記デバイスと、待機状態にすべき一または複数の前記デバイスを選択する工程と、前記リムーバブル記憶媒体の接続が検知されたことを条件として、選択された前記一または複数のデバイスを前記待機状態にさせる工程と、を含むことを特徴とする。請求項１１に記載のデバイス準備処理方法によれば、複数のデバイスを備える画像処理装置において、リムーバブル記憶媒体がインターフェイスに挿し込まれたことが検知されたならば、複数のデバイスのうちから選択されたデバイスの準備処理を開始することにより、利用者にとって選択されたデバイスが非待機状態から待機状態になるまでの待ち時間が大幅に短くなるという効果がある。また、選択されたデバイス以外のデバイスは、準備処理を行わないため、電力やインクなどの消費資源の使用を最小化できるので経済的である。
【００１９】
請求項１２に記載のデバイス準備処理方法は、請求項１１に記載のデバイス準備処理方法において、前記インターフェイスに接続されている前記リムーバブル記憶媒体に所定の情報が含まれる場合に、前記記録デバイスを選択する工程を含むことを特徴とする。請求項１２に記載のデバイス準備処理方法によれば、インターフェイスに接続されているリムーバブル記憶媒体に所定の情報が記憶している情報に応じて利用されるデバイスを予測することができ、その予測に基づいて選択したデバイスを準備処理することができるため、消費資源の使用を最小化したまま、利用者にとってデバイスが非待機状態から待機状態になるまでの待ち時間が大幅に短くなるという効果がある。
【００２０】
請求項１３に記載のデバイス準備処理方法は、請求項１１に記載のデバイス準備処理方法において、前記リムーバブル記憶媒体にはディレクトリの概念を持つファイルシステムを介してファイルの読み書きが可能なものであり、前記ディレクトリを指定する工程と、指定されたディレクトリに所定のファイルが含まれる場合に、前記記録デバイスを選択する工程と、を含むことを特徴とする。請求項１３に記載のデバイス準備処理方法によれば、ディレクトリの概念を持つファイルシステムを利用して、インターフェイスに接続されているリムーバブル記憶媒体のディレクトリに含まれる所定のファイルが記憶している情報に応じて利用されるデバイスを予測することができ、その予測に基づいて選択したデバイスを準備処理することができるため、消費資源の使用を最小化したまま、利用者にとってデバイスが非待機状態から待機状態になるまでの待ち時間が大幅に短くなるという効果がある。
【００２１】
請求項１４に記載のデバイス準備処理方法は、請求項１１ないし１３のいずれか１項に記載のデバイス準備処理方法において、複数の前記デバイスのうちの少なくとも一つが記録媒体に画像を記録する記録デバイスであり、前記待機状態にするデバイスとして前記記録デバイスを選択する工程を含むことを特徴とする。請求項１４に記載のデバイス準備処理方法によれば、複数のデバイスのうちの記録デバイスに選択的に準備処理を行わせることができる。また、インターフェイスに接続されているリムーバブル記憶媒体、又はその中に設定されたディレクトリに印刷可能なファイルがあると、記録デバイスが利用されると予測して、記録デバイスを選択して準備処理を行わせることができる。
【００２２】
請求項１５に記載のデバイス準備処理方法は、請求項１１ないし１４のいずれか１項に記載のデバイス準備処理方法において、複数の前記デバイスのうちの少なくとも一つは、記録媒体にトナー像を形成し、そのトナー像を定着器にて前記記録媒体に熱定着させる電子写真記録デバイスであり、前記定着器がオフであることによって前記電子写真記録デバイスが非待機状態にある場合、前記定着器をオンにして前記電子写真記録デバイスを前記待機状態にする工程を含むことを特徴とする。請求項１５に記載のデバイス準備処理方法によれば、リムーバブル記憶媒体をインターフェイスに挿し込むことに関連して定着器をオンすることにより、複数のデバイスのうちの電子写真記録デバイスの準備処理を行わせることができる。
【００２３】
請求項１６に記載のデバイス準備処理方法は、請求項１１ないし１４のいずれか１項に記載のデバイス準備処理方法において、複数の前記デバイスのうちの少なくとも一つは、噴射口からインクを噴射して記録媒体に画像を形成するインクジェット記録デバイスであり、前記噴射口のクリーニングがなされていないことによって前記インクジェット記録デバイスが非待機状態にある場合、前記噴射口をクリーニングして前記インクジェット記録デバイスを前記待機状態にする工程を含むことを特徴とする。請求項１６に記載のデバイス準備処理方法によれば、リムーバブル記憶媒体をインターフェイスに挿し込むことに関連して噴射口をクリーニングすることにより、複数のデバイスのうちのインクジェット記録デバイスの準備処理を行わせることができる。
【００２４】
請求項１７に記載のデバイス準備処理方法は、請求項１１ないし１３のいずれか１項に記載のデバイス準備処理方法において、複数の前記デバイスのうちの少なくとも一つが前記原稿を読み取る読取デバイスであり、読み取る画像を記録した読取対象の有無を検知する工程と、前記原稿が有ると判断したときに前記読取デバイスを前記待機状態にすベきであると選択する工程と、を含むことを特徴とする。請求項１７に記載のデバイス準備処理方法によれば、リムーバブル記憶媒体をインターフェイスに挿し込むことに関連して原稿を検知することにより、読取デバイスを選択して準備処理を行わせることができる。
【００２５】
請求項１８に記載のデバイス準備処理方法は、請求項１１ないし１３のいずれか１項、または請求項１７に記載のデバイス準備処理方法において、複数の前記デバイスのうちの少なくとも一つは、ランプから光を発して、これを読取対象に照射し、その反射光に基づいて前記読取対象が有する情報を読み取る読取デバイスであり、前記ランプがオフであることによって前記読取デバイスが非待機状態にある場合、前記ランプをオンにして前記読取デバイスを前記待機状態にする工程を含むことを特徴とする。請求項１８に記載のデバイス準備処理方法によれば、リムーバブル記憶媒体をインターフェイスに挿し込むことに関連してランプをオンすることにより、複数のデバイスのうちの読取デバイスを非待機状態から待機状態にすることができる。
【発明を実施するための最良の形態】
【００２６】
消費電力を抑え、かつデバイスが非待機状態から待機状態に遷移するため準備処理の待ち時間を最小化するという目的を、リムーバブル記憶媒体が挿し込まれたことを契機として準備処理を開始することにより達成した。
【００２７】
以下、本発明の実施の形態について図面を参照しながら詳細に説明する。
【実施例１】
【００２８】
図１は、本発明の実施例１に係る画像処理装置である複合装置１の外観図である。この複合装置１は、下側本体１ａに対して上側本体１ｂを開閉可能に取り付けてなるクラムシェル構造のものであり、上側本体１ｂに画像読取装置１ｃを、下側本体１ａに画像形成装置１ｄをそれぞれ備えている。
【００２９】
複合装置１の上面の前端縁寄りには、表示部１４および操作部１５からなる操作パネル２０が備えられている。また、複合装置１の前面には、リムーバブル記憶媒体としてＵＳＢメモリ３（図２参照）等が挿脱されるＵＳＢホストＩ／Ｆ（Interface）１６が設けられている。なお、ＵＳＢメモリ３には、ディレクトリの概念を持つファイルシステムを介してファイルの読み書きが可能である。
【００３０】
図２は、複合装置１の回路ブロック図である。複合装置１は、複合装置１全体を制御するＣＰＵ（Central Processing Unit）１１ａ，ＲＯＭ（Read Only Memory）１１ｂ，ＲＡＭ（Random Access Memory）１１ｃ等を含む制御部１１と、画像形成装置１ｄを構成する電子写真方式、又はインクジェット方式の記録部１２と、画像読取装置１ｃを構成する読取部１３と、液晶表示装置等でなる表示部１４と、各種操作キーを含む操作部１５と、ＵＳＢメモリ３を接続可能なＵＳＢホストＩ／Ｆ１６と、パーソナルコンピュータ（パソコン）４に接続されるホストコンピュータＩ／Ｆ１７とを含んで構成されている。なお、ＲＯＭ１１ｂには、複合装置１の動作を制御する各種プログラムを含む制御プログラム１１ｐが格納されており、ＣＰＵ１１ａが制御プログラム１１ｐを実行することにより、本発明の各種手段が実現される。
【００３１】
図３（ａ）を参照すると、記録部１２は、記録媒体にトナー像を形成し、そのトナー像を定着器にて記録媒体に熱定着させる電子写真記録デバイス（レーザビームプリンタ）である場合には、図示しない記録機構を含む電子写真方式の記録部１２全体を制御するＬＢ（Laser Beam）記録制御部１２１と、図示しない定着器の温度を制御する定着温度制御部１２２と、定着温度制御部１２２から制御され、図示しない定着器の温度を上昇させるヒータ１２３と、定着温度制御部１２２からの指示で、図示しない定着器の温度を測定する温度センサ１２４とを含んで構成されている。
【００３２】
図３（ｂ）を参照すると、記録部１２は、ヘッド（噴射口）からインクを噴射して記録媒体に画像を形成するインクジェット記録デバイス（インクジェットプリンタ）である場合には、図示しない記録機構を含むインクジェット方式の記録部１２全体を制御するＩＪ（Ink Jet）記録制御部１２５と、ヘッドをクリーニングするパージ制御部１２６と、パージ制御部１２６からの指示でヘッドからインクを吸引するインク吸引部１２７と、パージ制御部１２６からの指示で前回クリーニングを実施してからの経過時間を測定するパージ間隔タイマ１２８とを含んで構成されている。
【００３３】
図４を参照すると、読取部１３は、いわゆるスキャナと呼ばれる読取デバイスでなり、光源部１３４から光を発して、これを読取対象（原稿）に照射し、その反射光に基づいて原稿が有する情報を読み取る読取機構を含む読取部１３全体を制御する読取制御部１３１と、図示しない原稿台に原稿があるか否かを検出する原稿センサ１３２と、光源部１３４への電源供給を含む制御を行う光源制御部１３３と、光源制御部１３３の指示で原稿に光を照射する光源部１３４と、光源部１３４への電源投入から光源部１３４の発する光量が安定するまでの時間を測定する光源安定タイマ１３５とを含んで構成されている。
【００３４】
図５を参照すると、操作パネル２０は、液晶表示装置等でなる表示部１４と、実行キー１５１，切替キー１５２，および矢印キー１５４からなる操作部１５とを一体的に設けている。実行キー１５１は、選択したファイルを記録部１２で印刷するための操作キーである。切替キー１５２は、プリンタモードとスキャンモードとを切り替えるための操作キーである。矢印キー１５４は、表示部１４に表示される選択肢を別の選択肢に切り換えるための操作キーである。
【００３５】
図６（ａ）〜（ｃ）は、表示部１４に表示される画面を例示する図である。図６（ａ）に示すプリンタモードの表示では、矢印キー１５４を操作することにより印刷するファイルを選択することができる。ファイル名は、例えば“ｓｃａｎ”の後にシリアル番号と拡張子“．ｄａｔ”を付したものが、制御プログラム１１ｐにより自動的に生成される。プリンタモードは、利用者が指示したＵＳＢメモリ３のファイルを読み出し、記録部１２で印刷出力する状態を提供する装置状態である。図６（ｂ）に示すスキャンモードの表示では、スキャンデータのファイル名を知ることができる。スキャンモードは、利用者の操作により読取部１３で読み取った画像をファイル化し、ＵＳＢメモリ３に記憶する機能を提供する装置状態である。なお、スキャンモードの詳細は後述する。図６（ｃ）に示すＰＣ（Personal Computer）プリントモードの表示では、ＰＣプリントを実行していることを知ることができる。ＰＣプリントモードは、ホストＩ／Ｆ１７を介して接続されているパソコン２４よりデータを受信し、そのデータに基づいた画像を記録部１２により用紙上に形成する動作を行う装置状態のことである。
【００３６】
図７は、本実施例１に係る画像処理装置である複合装置１における各デバイスの機能及び準備処理を表す図である。
【００３７】
図７に示した読取部１３であるスキャナは、使用しないときは省電力のために光源部１３４への電源供給を絶っている。その状態からスキャナを使用するために光源部１３４への電源供給を開始しても即座には品質が安定した画像を入力する機能を果たすことができない。すなわち、安定した画像入力の機能を得るには、光源部１３４から原稿に照射される光量が安定していることが必要条件であり、その物理特性を得るには電源供給開始より所定時間待つ必要がある。つまり、光源部１３４に電源供給が行われていない状態と、電源供給が行われてから光源部１３４から照射される光量が安定しない状態である非待機状態から、光源部１３４に電源を投入したからの経過時間を測定する光源安定タイマ１３５から得られる経過時間を参照し、所定時間経過したことを検知することにより判断する光源部１３４から照射される光量が安定した状態である待機状態に遷移させるために、光源部１３４への電源供給及び光源安定タイマ１３５が所定時間計測するまで待つという準備処理が必要である。
【００３８】
また、記録部１２がレーザプリンタで構成されている場合、レーザプリンタを使用しないときには省電力のためにヒータ１２３への電源供給を断っている。その状態からレーザプリンタを使用するためにヒータ１２３への電源供給を開始しても即座には品質が安定した電子写真方式による紙面への画像形成の効果を得られない。レーザプリンタにおいては、紙面にトナー画像を形成する現像と呼ばれる工程を経た後、紙面にトナーを定着させるため図示しない定着器により所定量の熱と圧力を加えることが行われている。その熱を供給する物がヒータ１２３であり、定着器の温度を所定量に上昇させる働きを持っている。すなわち、紙面への安定した画像形成のためには、ヒータ１２３により定着器の温度が所定量に達しているという物理的特性が必要なのである。つまり、ヒータ１２３に電源供給が行われていない状態と、電源供給が行われてから温度センサ１２４で検知された温度が所定量に達していない状態である非待機状態から、温度センサ１２４への電源供給及び温度センサ１２４で検知された温度が所定量に達するまで待つという準備処理が必要である。
【００３９】
さらには、記録部１２がインクジェットプリンタで構成されている場合、ヘッドのインクの噴出口のインクの乾燥により、ヘッドの目詰まりが発生することがある。ヘッドが目詰まりすると、その噴出口からインクが出なくなり、正しい画像を紙面に形成することができない。すなわち、インクジェットプリンタにおいて紙面への画像形成という機能の品質を得るには、インクの噴出口が目詰まりしていないという物理的特性が必要条件である。この目詰まりは、ヘッドが使われていない時間が長いほど発生しやすい。従って、インクジェットプリンタが利用されていない時間が長時間であると判断すると、ヘッドの目詰まりを解消するためにヘッドからインクを強制的に吸引するパージと称する清掃処理を行う。パージは少量ではあるが、記録に利用されないインクを廃棄することを行うため、最小限にとどめることが経済的にも重要である。そのため、本実施例１では、印刷要求が発生したときに前回のパージから所定時間経過したと判断するとパージ処理を行う。つまり、前回のパージ処理から現在までの経過時間を計測するパージ間隔タイマから得られる情報から、ヘッドが使われていない状態が長時間続いていると判断した場合、インクジェットプリンタにおいてはヘッドが清掃されていない状態である非待機状態から、ヘッドが清掃されている状態である待機状態に遷移させるために、パージ処理という準備処理が必要である。なお、前回の印刷からの経過時間で判断しない理由は、黒インクのみの印刷など、必ずしも全てのインク噴出口が使用されるとは限らないためである。
【００４０】
また、図示しないが、使用しないときにヘッドにキャップをすることで、乾燥を防止し、ヘッドの目詰まりを防止することも行っている。つまり、ヘッドにキャップがされている状態である非待機状態から、キャップが外されている状態である待機状態に遷移するために、キャップを外すという準備処理も行っている。
【００４１】
次に、このように構成された実施例１に係る画像処理装置である複合装置１の動作について、図１ないし図１６を参照しながら説明する。
【００４２】
複合装置処理が開始されると、制御部１１は、複合装置１に対する指令であるイベントが有るかどうかを判定し（図８のＳ１０１）、イベントがなければ（図８のＳ１０１：ＮＯ）、イベントがあるまで待機する。
【００４３】
イベントが有ると（図８のＳ１０１：ＹＥＳ）、制御部１１は、制御部１１内のＲＡＭ１１ｃ上のスキャナ準備フラグおよびプリンタ準備フラグをＦａｌｓｅにし（図８のＳ１０２）、イベントがＵＳＢメモリ３のＵＳＢホストＩ／Ｆ１６への挿入であるかどうかを判定する（図８のＳ１０３）。スキャナ準備フラグ、及びプリンタ準備フラグは、それぞれのデバイスの準備処理が実行されたか否かを判断するためのフラグであり、Ｔｒｕｅが準備されたことを示し、Ｆａｌｓｅが準備されていないことを示す。イベントがＵＳＢメモリ３のＵＳＢホストＩ／Ｆ１６への挿入であれば（図８のＳ１０３：ＹＥＳ）、制御部１１は、原稿センサ１３２により読取部１３の原稿台に原稿が有るかどうかを判定する（図８のＳ１０４）。
【００４４】
読取部１３に原稿がなければ（図８のＳ１０４：ＮＯ）、スキャナモードではない、すなわちプリンタモードであるので、制御部１１は、プリンタ準備フラグがＦａｌｓｅであるかどうかを判定し（図８のＳ１０５）、プリンタ準備フラグがＦａｌｓｅでなければ（図８のＳ１０５：ＮＯ）、ステップＳ１０８に制御を移す。プリンタ準備フラグがＦａｌｓｅであれば（図８のＳ１０５：ＹＥＳ）、制御部１１は、ＬＢプリンタ準備処理（図９参照）またはＩＪプリンタ準備処理（図１０参照）を行う（図８のＳ１０６）。
【００４５】
複合装置１の記録部１２がレーザプリンタで構成されている場合、ＬＢプリンタ準備処理を行う。ＬＢプリンタ準備処理では、制御部１１は、定着温度制御部１２２によりヒータ１２３に電源を投入し（図９のＳ２０１）、定着温度制御部１２２により温度センサ１２４から温度を読み出し（図９のＳ２０２）、所定温度範囲未満であるかどうかを判定する（図９のＳ２０３）。所定温度範囲未満であれば（図９のＳ２０３：ＹＥＳ）、制御部１１は、定着温度制御部１２２によりヒータ１２３を温度上昇制御のパワーにし（図９のＳ２０４）、ステップＳ２０２に制御を戻す。所定温度範囲未満でなければ（図９のＳ２０３：ＮＯ）、制御部１１は、所定温度範囲超であるかどうかを判定する（図９のＳ２０５）。所定温度範囲超であれば（図９のＳ２０５：ＹＥＳ）、制御部１１は、定着温度制御部１２２によりヒータ１２３を温度下降制御のパワーにし（図９のＳ２０６）、ステップＳ２０２に制御を戻す。所定温度範囲超でなければ（図９のＳ２０５：ＮＯ）、制御部１１は、定着温度制御部１２２によりヒータ１２３を温度保持制御のパワーにし（図９のＳ２０７）、ＬＢプリンタ準備処理を終了する。
【００４６】
複合装置１の記録部１２がインクジェットプリンタで構成されている場合は、ＩＪプリンタ準備処理を行う。また、ＩＪプリンタ準備処理では、制御部１１は、ヘッド（噴射口）のキャップを解除し（図１０のＳ３０１）、パージ間隔タイマ１２８の値を読み出し（図１０のＳ３０２）、ヘッド（噴射口）の目詰まりを解消するために前回のパージから数週間ないしは数ヶ月の所定時間が経過したかどうかを判定する（図１０のＳ３０３）。所定時間が経過していなければ（図１０のＳ３０３：ＮＯ）、制御部１１は、ＩＪプリンタ準備処理を終了する。所定時間が経過していれば（図１０のＳ３０３：ＹＥＳ）、制御部１１は、パージ制御部１２６によりインク吸引部１２７にヘッドのインク噴射口をパージさせ（図１０のＳ３０４）、パージ間隔タイマ１２８の値をリセットしてカウントアップを開始させ（図１０のＳ３０５）、ＩＪプリンタ準備処理を終了する。
【００４７】
図９のＬＢプリンタ準備処理または図１０のＩＪプリンタ準備処理から図８の複合装置処理に制御が戻ると、制御部１１は、プリンタ準備フラグをＴｒｕｅにし（図８のＳ１０７）、ステップＳ１０８に制御を移す。
【００４８】
ステップＳ１０８では、制御部１１は、プリンタモード処理（図１１参照）を行う。
【００４９】
プリンタモード処理では、制御部１１は、ＵＳＢメモリ３のファイルのファイル名を読み出し（図１１のＳ４０１）、読み出したファイル名のうちの１つ（例えば最初に発見したファイル）を選択し（図１１のＳ４０２）、表示部１４にプリンタモードの表示（図６（ａ）参照）を行う（図１１のＳ４０３）。
【００５０】
次に、制御部１１は、割込み等のイベントが有るかどうかを判定し（図１１のＳ４０４）、イベントがなければ（図１１のＳ４０４：ＮＯ）、イベントが有るまで待機する。
【００５１】
イベントが有れば（図１１のＳ４０４：ＹＥＳ）、制御部１１は、イベントが実行キー１５１の押下であるかどうかを判定し（図１１のＳ４０５）、イベントが実行キー１５１の押下であれば（図１１のＳ４０５：ＹＥＳ）、選択したファイル、すなわち現在表示部１４に表示されているファイルを記録部１２により用紙に印刷し（図１１のＳ４０６）、ステップＳ４０４に制御を戻す。なお、ファイルが印刷できない形式であった場合には、「印刷不可」の文字を用紙に印刷する。
【００５２】
イベントが実行キー１５１の押下でなければ（図１１のＳ４０５：ＮＯ）、制御部１１は、イベントが矢印キー１５４の押下であるかどうかを判定し（図１１のＳ４０７）、イベントが矢印キー１５４の押下であれば（図１１のＳ４０７：ＹＥＳ）、別候補のファイルを選択して表示部１４に表示し（図１１のＳ４０８）、ステップＳ４０４に制御を戻す。例えば、ファイル名を発見順に配列上に管理し、下向き矢印が示された矢印キー１５４が押下されると、現在選択されているファイルの配列上の順序で、次に格納されているファイル名を選択する。また、上向きが示された矢印キー１５４が押下されると、現在選択されているファイルの配列上の順序で前に格納されているファイル名を選択する。配列上先頭にあるファイル名が選択されているとき、上向きが示された矢印キー１５４が押下されると、配列上末尾に格納されているファイル名を選択し、配列上末尾に格納されているファイル名が選択されているときに下向き矢印が示された矢印キー１５４が押下されると、配列上先頭に格納されているファイル名を選択する。
【００５３】
イベントが矢印キー１５４の押下でなければ（図１１のＳ４０７：ＮＯ）、制御部１１は、イベントが切替キー１５２の押下であるかどうかを判定し（図１１のＳ４０９）、イベントが切替キー１５２の押下であれば（図１１のＳ４０９：ＹＥＳ）、終了コードに「切替」を設定し（図１１のＳ４１０）、プリンタモード処理を終了する。
【００５４】
イベントが切替キー１５２の押下でなければ（図１１のＳ４０９：ＮＯ）、制御部１１は、イベントがＵＳＢメモリ３のＵＳＢホストＩ／Ｆ１６からの抜きかどうかを判定し（図１１のＳ４１１）、イベントがＵＳＢメモリ３のＵＳＢホストＩ／Ｆ１６からの抜きであれば（図１１のＳ４１１：ＹＥＳ）、終了コードに「終了」を設定し（図１１のＳ４１２）、プリンタモード処理を終了する。
【００５５】
イベントがＵＳＢメモリ３のＵＳＢホストＩ／Ｆ１６からの抜きでなければ（図１１のＳ４１１：ＮＯ）、制御部１１は、表示部１４にエラーを２秒間表示し（図１１のＳ４１３）、終了コードに「終了」を設定して（図１１のＳ４１４）、プリンタモード処理を終了する。
【００５６】
図１１のプリンタモード処理から図８の複合装置処理に制御が戻ると、制御部１１は、終了コードに「切替」が設定されているかどうかに基づいてモード切替かどうかを判定する（図８のＳ１０９）。モード切替であれば（図８のＳ１０９：ＹＥＳ）、制御部１１は、ステップＳ１１０に制御を移し、モード切替でなければ、すなわち、終了コードに「終了」が設定されている場合には（図８のＳ１０９：ＮＯ）、ステップＳ１１９に制御を移す。
【００５７】
ステップＳ１１０では、制御部１１は、スキャナ準備フラグがＦａｌｓｅであるかどうかを判定し（図８のＳ１１０）、スキャナ準備フラグがＦａｌｓｅでなければ（図８のＳ１１０：ＮＯ）、ステップＳ１１３に制御を移す。スキャナ準備フラグがＦａｌｓｅであれば（図８のＳ１１０：ＹＥＳ）、制御部１１は、スキャナ準備処理（図１２参照）を行う（図８のＳ１１１）。
【００５８】
スキャナ準備処理では、制御部１１は、光源制御部１３３により光源部１３４に電源を投入し（図１２のＳ５０１）、光源制御部１３３により光源安定タイマ１３５をリセットしてカウントアップを開始し（図１２のＳ５０２）、光源部１３４の光量が安定する所定時間が経過したかどうかを判定する（図１２のＳ５０３）。所定時間が経過していなければ（図１２のＳ５０３：ＮＯ）、制御部１１は、所定時間が経過するまで待機する。所定時間が経過すると（図１２のＳ５０３：ＹＥＳ）、制御部１１は、スキャナ準備処理を終了する。
【００５９】
図１２のスキャナ準備処理から図８の複合装置処理に制御が戻ると、制御部１１は、スキャナ準備フラグをＴｒｕｅにし（図８のＳ１１２）、ステップＳ１１３に制御を移す。
【００６０】
ステップＳ１１３では、制御部１１は、スキャナモード処理（図１３参照）を行う。
【００６１】
スキャナモード処理では、制御部１１は、例えば“ｓｃａｎ”の後に読み取った画像を１つＵＳＢメモリ３に格納するたびにカウントアップするシリアル番号と拡張子“．ｄａｔ”を付したファイル名を生成し（図１３のＳ６０１）、表示部１４にスキャンモード（図６（ｂ）参照）の表示を行い（図１３のＳ６０２）、割込み等のイベントが有るかどうかを判定する（図１３のＳ６０３）。イベントがなければ（図１３のＳ６０３：ＮＯ）、制御部１１は、イベントが有るまで待機する。
【００６２】
イベントが有れば（図１３のＳ６０３：ＹＥＳ）、制御部１１は、イベントが実行キー１５１の押下であるかどうかを判定し（図１３のＳ６０４）、イベントが実行キー１５１の押下であれば（図１３のＳ６０４：ＹＥＳ）、読取部１３でスキャンした画像をＵＳＢメモリ３に保存する（図１３のＳ６０５）。次に、制御部１１は、シリアル番号を１カウントアップすることで更新し（図１３のＳ６０６）、例えば“ｓｃａｎ”の後にシリアル番号と拡張子“．ｄａｔ”を付したファイル名を生成し（図１３のＳ６０７）、表示部１４のファイル名を更新して（図１３のＳ６０８）、ステップＳ６０３に制御を戻す。
【００６３】
イベントが実行キー１５１の押下でなければ（図１３のＳ６０４：ＮＯ）、制御部１１は、イベントが矢印キー１５４の押下であるかどうかを判定し（図１３のＳ６０９）、イベントが矢印キー１５４の押下であれば（図１３のＳ６０９：ＹＥＳ）、図示しないブザー等により拒否音を鳴動し（図１３のＳ６１０）、ステップＳ６０３に制御を戻す。
【００６４】
イベントが矢印キー１５４の押下でなければ（図１３のＳ６０９：ＮＯ）、制御部１１は、イベントが切替キー１５２の押下であるかどうかを判定し（図１３のＳ６１１）、イベントが切替キー１５２の押下であれば（図１３のＳ６１１：ＹＥＳ）、終了コードに「切替」を設定し（図１３のＳ６１２）、スキャナモード処理を終了する。
【００６５】
イベントが切替キー１５２の押下でなければ（図１３のＳ６１１：ＮＯ）、制御部１１は、イベントがＵＳＢメモリ３のＵＳＢホストＩ／Ｆ１６からの抜きであるかどうかを判定し（図１３のＳ６１３）、イベントがＵＳＢメモリ３のＵＳＢホストＩ／Ｆ１６からの抜きであれば（図１３のＳ６１３：ＹＥＳ）、終了コードに「終了」を設定し（図１３のＳ６１４）、スキャナモード処理を終了する。
【００６６】
イベントがＵＳＢメモリ３のＵＳＢホストＩ／Ｆ１６からの抜きでなければ（図１３のＳ６１３：ＮＯ）、制御部１１は、表示部１４にエラーを２秒間表示し（図１３のＳ６１５）、終了コードに「終了」を設定して（図１３のＳ６１６）、スキャナモード処理を終了する。
【００６７】
図１３のスキャナモード処理から図８の複合装置処理に制御が戻ると、制御部１１は、終了コードに「切替」が設定されているかどうかに基づいてモード切替かどうかを判定する（図８のＳ１１４）。モード切替であれば（図８のＳ１１４：ＹＥＳ）、制御部１１は、ステップＳ１０５に制御を移し、モード切替でなければ（図８のＳ１１４：ＮＯ）、ステップＳ１１９に制御を移す。
【００６８】
一方、イベントがＵＳＢメモリ３のＵＳＢホストＩ／Ｆ１６への挿入でなければ（図８のＳ１０３：ＮＯ）、制御部１１は、イベントがパソコン（ＰＣ）４からのプリント要求であるかどうかに基づいてＰＣプリントかどうかを判定し（図８のＳ１１５）、ＰＣプリントでなければ（図８のＳ１１５：ＮＯ）、ステップＳ１０１に制御を戻す。ＰＣプリントであれば（図８のＳ１１５：ＹＥＳ）、制御部１１は、記録部１２を構成するデバイスの種類に応じてＬＢプリンタ準備処理（図９参照）またはＩＪプリンタ準備処理（図１０参照）を行う（図８のＳ１１６）。ＬＢプリンタ準備処理（図９参照）およびＩＪプリンタ準備処理（図１０参照）については、すでに説明したので、ここでは詳しい説明を省略する。
【００６９】
図９のＬＢプリンタ準備処理または図１０のＩＪプリンタ準備処理から図８の複合装置処理に制御が戻ってくると、制御部１１は、プリンタ準備フラグをＴｒｕｅにし（図８のＳ１１７）、パソコン（ＰＣ）４からのコマンドを受けて記録部１２により用紙に印刷する（図８のＳ１１８）。この後、制御部１１は、ステップＳ１１９に制御を移す。
【００７０】
ステップＳ１１９では、制御部１１は、プリンタ準備フラグがＦａｌｓｅであるかどうかを判定し（図８のＳ１１９）、プリンタ準備フラグがＦａｌｓｅでなければ（図８のＳ１１９：ＮＯ）、記録部１２を構成するデバイスの種類に応じてＬＢプリンタ準備解除処理（図１４参照）またはＩＪプリンタ準備解除処理（図１５参照）を行う（図８のＳ１２０）。プリンタ準備フラグがＦａｌｓｅであれば（図８のＳ１１９：ＹＥＳ）、制御部１１は、ステップＳ１２０をスキップする。
【００７１】
ＬＢプリンタ準備解除処理では、制御部１１は、定着温度制御部１２２によりヒータ１２３の電源を切り（図１４のＳ７０１）、ＬＢプリンタ準備解除処理を終了する。
【００７２】
また、ＩＪプリンタ準備解除処理では、制御部１１は、インク吸引部１２７によりヘッドのインク噴射口にキャップをさせ（図１５のＳ８０１）、ＩＪプリンタ準備解除処理を終了する。
【００７３】
図１４のＬＢプリンタ準備解除処理または図１５のＩＪプリンタ準備解除処理から図８の複合装置処理に制御が戻ると、制御部１１は、スキャナ準備フラグがＦａｌｓｅであるかどうかを判定し（図８のＳ１２１）、スキャナ準備フラグがＦａｌｓｅでなければ（図８のＳ１２１：ＮＯ）、スキャナ準備解除処理（図１６参照）を行う（図８のＳ１２２）。スキャナ準備フラグがＦａｌｓｅであれば（図８のＳ１２１：ＹＥＳ）、制御部１１は、ステップＳ１２２をスキップして、ステップＳ１０１に制御を戻す。
【００７４】
スキャナ準備解除処理では、制御部１１は、光源制御部１３３により光源部１３４の電源を切り（図１６のＳ９０１）、スキャナ準備解除処理を終了する。
【００７５】
図１６のスキャナ準備解除処理から図８の複合装置処理に制御が戻ると、制御部１１は、ステップＳ１０１に制御を戻す。
【００７６】
実施例１によれば、ＵＳＢメモリ３がＵＳＢホストＩ／Ｆ１６に挿し込まれたならば、デバイスである記録部１２または読取部１３の準備処理を開始することにより、記録部１２又は読取部１３の利用が直接指示される前に準備処理を開始するので、利用者にとってデバイスが非待機状態から待機状態になるまでの待ち時間が大幅に短くなるという利点がある。また、原稿の有無を検知して記録部１２，読取部１３を選択的に準備するため、不要なデバイスを準備するために電力やインクの浪費を抑えることができる。
【実施例２】
【００７７】
図１７は、本発明の実施例２に係る画像処理装置である複合装置１におけるファイル検索・印刷準備処理（図８のＳ１０５〜１０７に相当する処理）を示すフローチャートである。
【００７８】
図１８は、本発明の実施例２に係る画像処理装置である複合装置１における印刷可能ファイル検索処理（図１７のＳ１００２）を示すフローチャートである。
【００７９】
なお、その他の特に言及しない部分は、実施例１に係る画像処理装置である複合装置１における対応部分と同様に構成されているので、それらの詳細な説明は割愛する。
【００８０】
次に、このように構成された実施例２に係る画像処理装置である複合装置１の動作について、実施例１に係る画像処理装置である複合装置１と異なる点を中心に説明する。
【００８１】
ファイル検索・印刷準備処理では、制御部１１は、プリンタ準備フラグがＦａｌｓｅであるかどうかを判定し（図１７のＳ１００１）、プリンタ準備フラグがＦａｌｓｅでなければ（図１７のＳ１００１：ＮＯ）、ファイル検索・印刷準備処理を終了する。プリンタ準備フラグがＦａｌｓｅであれば（図１７のＳ１００１：ＹＥＳ）、制御部１１は、印刷可能ファイル検索処理（図１８参照）を行う（図１７のＳ１００２）。
【００８２】
印刷可能ファイル検索処理では、制御部１１は、ＵＳＢメモリ３の全ファイルの検索完了かどうかを判定し（図１８のＳ１１０１）、全ファイルの検索完了でなければ（図１８のＳ１１０１：ＮＯ）、ＵＳＢメモリ３から未処理のファイルを１つ読み出し（図１８のＳ１１０２）、印刷可能形式であるかどうかを判定する（図１８のＳ１１０３）。印刷可能形式でなければ（図１８のＳ１１０３：ＮＯ）、制御部１１は、ステップＳ１１０１に制御を戻し、印刷可能形式であれば（図１８のＳ１１０３：ＹＥＳ）、終了コードを「印刷可能ファイル有」として（図１８のＳ１１０４）、印刷可能ファイル検索処理を終了する。全ファイルの検索完了であれば（図１８のＳ１１０１：ＹＥＳ）、制御部１１は、終了コードを「印刷可能ファイル無し」として（図１８のＳ１１０５）、印刷可能ファイル検索処理を終了する。
【００８３】
図１８の印刷可能ファイル検索処理から図１７のファイル検索・印刷準備処理に制御が戻ると、制御部１１は、終了コードを参照して印刷可能ファイルが有るかどうかを判定し（図１８のＳ１１０３）、印刷可能ファイルが無ければ（図１８のＳ１１０３：ＮＯ）、ファイル検索・印刷準備処理を終了する。印刷可能ファイルが有れば（図１８のＳ１１０３：ＹＥＳ）、制御部１１は、記録部１２を構成するデバイスに応じてＬＢプリンタ準備処理（図９参照）またはＩＪプリンタ準備処理（図１０参照）を行い（図１８のＳ１１０４）、ファイル検索・印刷準備処理を終了する。なお、ＬＢプリンタ準備処理（図９参照）またはＩＪプリンタ準備処理（図１０参照）についてはすでに説明したので、ここでは詳しい説明は省略する。
【００８４】
実施例２によれば、ＵＳＢホストＩ／Ｆ１６に挿入されているＵＳＢメモリ３に印刷可能ファイルが含まれていれば、記録部１２の準備処理を行わせることができる。従って、印刷可能なファイルがないにもかかわらず、記録部１２の準備処理を行うことが少ないため実際には印刷されない場合に、電力またはインクを浪費しないので経済的である。
【実施例３】
【００８５】
図１９は、本発明の実施例３に係る画像処理装置である複合装置１における複合装置処理（２）を示すフローチャートである。
【００８６】
図２０は、本発明の実施例３に係る画像処理装置である複合装置１におけるプリンタモード処理（２）を示すフローチャートである。
【００８７】
なお、その他の特に言及しない部分は、実施例１に係る画像処理装置である複合装置１における対応部分と同様に構成されているので、それらの詳細な説明は割愛する。
【００８８】
次に、このように構成された実施例３に係る画像処理装置である複合装置１の動作について、実施例１に係る画像処理装置である複合装置１と異なる点を中心に説明する。
【００８９】
複合装置処理（２）が開始されると、制御部１１は、割込み等のイベントが有るかどうかを判定し（図１９のＳ１２０１）、イベントがなければ（図１９のＳ１２０１：ＮＯ）、ステップＳ１０１に制御を戻し、イベントがあるまで待機する。
【００９０】
イベントがあると（図１９のＳ１２０１：ＹＥＳ）、制御部１１は、スキャナ準備フラグおよびプリンタ準備フラグをＦａｌｓｅにし（図１９のＳ１２０２）、イベントがＵＳＢメモリ３のＵＳＢホストＩ／Ｆ１６への挿入であるかどうかを判定する（図１９のＳ１２０３）。イベントがＵＳＢメモリ３のＵＳＢホストＩ／Ｆ１６への挿入であれば（図１９のＳ１２０３：ＹＥＳ）、制御部１１は、原稿センサ１３２により読取部１３に原稿が有るかどうかを判定する（図１９のＳ１２０４）。
【００９１】
読取部１３に原稿がなければ（図１９のＳ１２０４：ＮＯ）、制御部１１は、プリンタモード処理（２）（図２０参照）を行う（図１９のＳ１２０５）。
【００９２】
プリンタモード処理（２）では、制御部１１は、ルートディレクトリをカレントディレクトリとし（図２０のＳ１３０１）、ファイル検索・プリンタ準備処理（図１７参照）を行う（図２０のＳ１３０２）。ファイル検索・プリンタ準備処理（図１７参照）についてはすでに説明したので、ここでは詳しい説明を省略する。
【００９３】
図１７のファイル検索・プリンタ準備処理から図２０のプリンタモード処理（２）に制御が戻ると、制御部１１は、ディレクトリ内のファイル名またはディレクトリ名を読み出し（図２０のＳ１３０３）、読み出したファイル名またはディレクトリ名のうちの１つを選択、例えば、最初に見つかったファイル又はディレクトリを選択し（図２０のＳ１３０４）、表示部１４にプリンタモードの表示（図６（ａ）参照）を行う（図２０のＳ１３０４）。
【００９４】
次に、制御部１１は、割込み等のイベントが有るかどうかを判定し（図２０のＳ１３０６）、イベントがなければ（図２０のＳ１３０６：ＮＯ）、ステップＳ１３０２に制御を戻す。
【００９５】
イベントが有れば（図２０のＳ１３０６：ＹＥＳ）、制御部１１は、イベントが実行キー１５１の押下であるかどうかを判定し（図２０のＳ１３０７）、イベントが実行キー１５１の押下であれば（図２０のＳ１３０７：ＹＥＳ）、プリンタモードで表示部１４に表示されているものがディレクトリであるかファイルであるかを判定し（図２０のＳ１３０８）、ディレクトリであれば（図２０のＳ１３０８：ＹＥＳ）、選択したディレクトリにカレントディレクトリを変更し（図２０のＳ１３０９）、ステップＳ１３０２に制御を戻す。ディレクトリでなければ、すなわちファイルであれば（図２０のＳ１３０８：ＮＯ）、制御部１１は、選択したファイルを記録部１２により用紙に印刷し（図２０のＳ１３１０）、ステップＳ１３０６に制御を戻す。なお、ファイルが印刷できない形式であった場合には、「印刷不可」の文字を用紙に印刷する。
【００９６】
イベントが実行キー１５１の押下でなければ（図２０のＳ１３０７：ＮＯ）、制御部１１は、イベントが矢印キー１５４の押下であるかどうかを判定し（図２０のＳ１３１１）、イベントが矢印キー１５４の押下であれば（図２０のＳ１３１１：ＹＥＳ）、別候補のファイルまたはディレクトリを選択して表示部１４に表示し（図２０のＳ１３１２）、ステップＳ１３０６に制御を戻す。なお、矢印キー１５４による別候補のファイルまたはディレクトリの選択は、図１１のＳ４０７に準ずる。
【００９７】
イベントが矢印キー１５４の押下でなければ（図２０のＳ１３１１：ＮＯ）、制御部１１は、イベントが切替キー１５２の押下であるかどうかを判定し（図２０のＳ１３１３）、イベントが切替キー１５２の押下であれば（図２０のＳ１３１３：ＹＥＳ）、終了コードに「切替」を設定し（図２０のＳ１３１４）、プリンタモード処理（２）を終了する。
【００９８】
イベントが切替キー１５２の押下でなければ（図２０のＳ１３１３：ＮＯ）、制御部１１は、イベントがＵＳＢメモリ３のＵＳＢホストＩ／Ｆ１６からの抜きであるかどうかを判定し（図２０のＳ１３１５）、イベントがＵＳＢメモリ３のＵＳＢホストＩ／Ｆ１６からの抜きであれば（図２０のＳ１３１５：ＹＥＳ）、終了コードに「終了」を設定し（図２０のＳ１３１６）、プリンタモード処理（２）を終了する。
【００９９】
イベントがＵＳＢメモリ３のＵＳＢホストＩ／Ｆ１６からの抜きでなければ（図２０のＳ１３１５：ＮＯ）、制御部１１は、表示部１４にエラーを２秒間表示し（図２０のＳ１３１７）、終了コードに「終了」を設定して（図２０のＳ１３１８）、プリンタモード処理（２）を終了する。
【０１００】
図２０のプリンタモード処理（２）から図１９の複合装置処理（２）に制御が戻ると、以下のステップＳ１２０６〜Ｓ１２１９は、図８の複合装置処理におけるステップＳ１０２〜Ｓ１２２と全く同様であるので、詳しい説明を省略する。
【０１０１】
実施例３によれば、ＵＳＢホストＩ／Ｆ１６に挿入されているＵＳＢメモリ３のディレクトリに印刷可能な所定のファイルが含まれている場合に、記録部１２の準備処理を行わせることができる。従って、印刷可能なファイルが存在しないディレクトリがカレントディレクトリとして選択されているにもかかわらず、記録部１２の準備を行うことがないため、より的確に印刷を行うことが予測できるため、実際に印刷されなかった場合の電力、またはインクを無駄に消費しないため、経済的である。
【０１０２】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【０１０３】
例えば、各実施例では、画像処理装置が複合装置であるものとして説明したが、画像処理装置は印刷装置，読取装置等の単独の機能を有する画像処理装置であってもよい。
【図面の簡単な説明】
【０１０４】
【図１】本発明の実施例１に係る画像処理装置である複合装置の外観斜視図。
【図２】本実施例１に係る画像処理装置である複合装置の回路ブロック図。
【図３】（ａ）は、ＬＢプリンタでなる記録部の詳細な構成を示すブロック図、（ｂ）は、ＩＪプリンタでなる記録部の詳細な構成を示すブロック図。
【図４】読取部の詳細な構成を示すブロック図。
【図５】操作パネルの正面図。
【図６】各モードでの表示部の表示例を示す図。
【図７】複合装置における各デバイスの機能および準備処理を示す表。
【図８】複合装置における複合装置処理を示すフローチャート。
【図９】複合装置におけるＬＢプリンタ準備処理を示すフローチャート。
【図１０】複合装置におけるＩＪプリンタ準備処理を示すフローチャート。
【図１１】複合装置におけるプリンタモード処理を示すフローチャート。
【図１２】複合装置におけるスキャナ準備処理を示すフローチャート。
【図１３】複合装置におけるスキャナモード処理を示すフローチャート。
【図１４】複合装置におけるＬＢプリンタ準備解除処理を示すフローチャート。
【図１５】複合装置におけるＩＪプリンタ準備解除処理を示すフローチャート。
【図１６】複合装置におけるスキャナ準備解除処理を示すフローチャート。
【図１７】本発明の実施例２に係る画像処理装置である複合装置におけるファイル検索・印刷準備処理を示すフローチャート。
【図１８】本実施例２に係る画像処理装置である複合装置における印刷可能ファイル検索処理を示すフローチャート。
【図１９】本発明の実施例３に係る画像処理装置である複合装置における複合装置処理（２）を示すフローチャート。
【図２０】本実施例３に係る画像処理装置である複合装置におけるプリンタモード処理（２）を示すフローチャート。
【符号の説明】
【０１０５】
１  複合装置（画像処理装置）
３  ＵＳＢメモリ（リムーバブル記憶媒体）
１１  制御部（準備手段，画像処理手段，検知手段，制御手段）
１２  記録部（デバイス）
１３  読取部（デバイス）
１４  表示部
１５  操作部
１６  ＵＳＢホストＩ／Ｆ（インターフェイス）
１７  ホストコンピュータＩ／Ｆ
１２１  ＬＢ記録制御部
１２２  定着温度制御部
１２３  ヒータ
１２４  温度センサ
１２５  ＩＪ記録制御部
１２６  パージ制御部
１２７  インク吸引部
１２８  パージ間隔タイマ
１３１  読取制御部
１３２  原稿センサ
１３３  光源制御部
１３４  光源部
１３５  光源安定タイマ
１５１  実行キー
１５２  切替キー
１５４  矢印キー
【図１】
2007335988.tif 000003
【図２】
2007335988.tif 000004
【図３】
2007335988.tif 000005
【図４】
2007335988.tif 000006
【図５】
2007335988.tif 000007
【図６】
2007335988.tif 000008
【図７】
2007335988.tif 000009
【図８】
2007335988.tif 000010
【図９】
2007335988.tif 000011
【図１０】
2007335988.tif 000012
【図１１】
2007335988.tif 000013
【図１２】
2007335988.tif 000014
【図１３】
2007335988.tif 000015
【図１４】
2007335988.tif 000016
【図１５】
2007335988.tif 000017
【図１６】
2007335988.tif 000018
【図１７】
2007335988.tif 000019
【図１８】
2007335988.tif 000020
【図１９】
2007335988.tif 000021
【図２０】
2007335988.tif 000022